(57)【要約】【課題】光を照射する対象物における影の発生を抑制し、かつ、設置の自由度が高い照明装置を提供すること。【解決手段】長尺状の発光装置１０５を備える照明装置であって、発光装置は、第一発光部１１０と、発光装置１０５の長手方向における第一発光部１１０の両側のそれぞれに配置された第二発光部１２０とを有し、第一発光部１１０から照明装置１００の外部に放出される光の明るさは、第二発光部１２０から照明装置１００の外部に放出される光の明るさよりも小さく、長手方向を水平方向とした場合において、第二発光部１２０の光軸は、第一発光部１１０の光軸よりも下方に傾いている。【選択図】図２
2018032473.tif 000002
【特許請求の範囲】
【請求項１】
長尺状の発光装置を備える照明装置であって、
前記発光装置は、第一発光部と、前記発光装置の長手方向における前記第一発光部の両側のそれぞれに配置された第二発光部とを有し、
前記第一発光部から前記照明装置の外部に放出される光の明るさは、前記第二発光部から前記照明装置の外部に放出される光の明るさよりも小さく、
前記長手方向を水平方向とした場合において、前記第二発光部の光軸は、前記第一発光部の光軸よりも下方に傾いている
照明装置。
【請求項２】
前記第一発光部及び前記第二発光部のそれぞれは、前記長手方向に並べられた複数の発光素子を有し、
前記第二発光部における、前記長手方向の単位長さあたりの前記発光素子の個数は、前記第一発光部における、前記単位長さあたりの前記発光素子の個数よりも多い
請求項１記載の照明装置。
【請求項３】
前記第一発光部は、複数の前記発光素子が配置された第一基板を有し、
前記第二発光部は、複数の前記発光素子が配置された第二基板を有し、
前記長手方向を水平方向とした場合において、前記第二基板は、複数の前記発光素子が配置された面が、前記第一基板における複数の前記発光素子が配置された面よりも下方に向く姿勢で配置されている
請求項２記載の照明装置。
【請求項４】
さらに、前記第一発光部及び前記第二発光部の光軸の向きを制御する光学部材を備え、
前記光学部材により、前記第二発光部の光軸が、前記第一発光部の光軸よりも下方に傾けられている
請求項１または２に記載の照明装置。
【請求項５】
前記光学部材は、前記第一発光部及び前記第二発光部からの光を拡散するレンズであり、
前記レンズにおける、前記第一発光部に対応する第一部分の光の拡散性が、前記第二発光部に対応する第二部分の光の拡散性よりも高い
請求項４記載の照明装置。
【請求項６】
さらに、前記第一発光部及び前記第二発光部からの光を拡散して放出する拡散カバーを備え、
前記拡散カバーの、前記第一発光部に対応する第一部分の光の拡散性が、前記第二発光部に対応する第二部分の光の拡散性よりも高い
請求項１〜４のいずれか１項に記載の照明装置。
【請求項７】
さらに、前記第一発光部及び前記第二発光部からの光を拡散して放出する拡散カバーを備え、
前記拡散カバーの、前記第一発光部に対応する第一部分における上下の少なくとも一方に、他の部分よりも光の透過率が高い部分である高透過部が設けられている
請求項１〜４のいずれか１項に記載の照明装置。
【請求項８】
前記照明装置を、前記長手方向が水平方向と一致する姿勢で配置した場合における、第一照度比の第二照度比に対する割合は、９０％未満であり、
前記第一照度比は、前記照明装置の前方かつ下方の所定の位置における、上下左右それぞれからの光の照度の平均値に対する、上からの光の照度の比率であり、
前記第二照度比は、前記照明装置の外部に放出される光の明るさが、前記長手方向の全域において略均一であり、かつ、前記第一発光部の光軸及び前記第二発光部の光軸が前方を向いているとした場合における、前記所定の位置における、上下左右それぞれからの光の照度の平均値に対する、上からの光の照度の比率である
請求項１〜７のいずれか１項に記載の照明装置。
【請求項９】
さらに、所定の壁面に前記照明装置を取り付けるための取付部を備える
請求項１〜７のいずれか１項に記載の照明装置。
【請求項１０】
請求項１〜９のいずれか１項に記載の照明装置と、
前記照明装置の下方に配置された鏡と
を備える照明鏡セット。
【発明の詳細な説明】
【技術分野】
【０００１】
本発明は、照明装置及び、照明装置と鏡とを有する照明鏡セットに関する。
【背景技術】
【０００２】
従来、例えば洗面化粧台には、鏡の前で化粧を行う人の顔を照らすための照明装置が設けられる場合がある。化粧を行う際の光環境には、顔を十分に明るく照らすとともに均一に照らし、煩わしい影を生じさせないことが求められる。そこで、洗面化粧台等に備えられる照明装置に関する各種の技術が提案されている。
【０００３】
例えば、特許文献１には、水平な作業台とその前に座る使用者を映写可能な鏡とを具備するドレッサーが開示されている。このドレッサーでは、鏡の幅方向の両端の裏側に照明装置が配置されており、鏡の左右の透過窓から前方に光を照射することができる。これにより、使用の顔に影を生じさないことができる。その結果、作業者は、細部に至るまで注意しながら化粧を行うことができる。
【０００４】
その他、特許文献２には、鏡の下方から光を照射する構造が開示され、特許文献３には、鏡上部の照明器具の形状を、鏡中心から外方向へ向かって凸となる曲線状の形状とすることが開示されている。また、非特許文献１では、化粧行為に適した照明環境を評価した結果，鏡の上下、または上に照明器具を設置するよりも、鏡の四方、または左右に設置する方が評価が高くなることが示されている。
【先行技術文献】
【特許文献】
【０００５】
【特許文献１】特開２０１０−１１０５５４号公報
【特許文献２】特開２００６−６８１８号公報
【特許文献３】特開２００２−８４３７号公報
【非特許文献】
【０００６】
【非特許文献１】奥田紫乃ら、化粧行為に適した洗面化粧ユニット照明の設置位置に関する検討、照明学会誌Ｖｏｌ．９５（２０１１）  Ｎｏ．１１  Ｐ７１１−７１７
【発明の概要】
【発明が解決しようとする課題】
【０００７】
鏡の左右の両側に照明装置を配置する場合、鏡及び照明装置を含む構成全体としての横幅が大きくなる。また、壁に固定された鏡の両側に照明装置を設置しようとした場合、その設置のためのスペースが確保できない場合もある。
【０００８】
また、鏡の左右両端の裏側に照明装置を配置する場合は、鏡そのものの左右の幅が大きくなる。これを避けるために、照明装置を鏡の中央よりに移動した場合は、使用者に眩しさを与えやすくなる。
【０００９】
また、単に、鏡の上方または下方から照明装置から光を照射した場合、顔の凹凸による影が生じやすい。さらに、直線状ではない形状の照明装置は、例えば、既存の化粧台等に組み込むことの困難性が生じる。
【００１０】
本発明は、上記従来の課題を考慮し、光を照射する対象物における影の発生を抑制し、かつ、設置の自由度が高い照明装置、及びその照明装置を備える照明鏡セットを提供することを目的とする。
【課題を解決するための手段】
【００１１】
本発明の一態様に係る照明装置は、長尺状の発光装置を備える照明装置であって、前記発光装置は、第一発光部と、前記発光装置の長手方向における前記第一発光部の両側のそれぞれに配置された第二発光部とを有し、前記第一発光部から前記照明装置の外部に放出される光の明るさは、前記第二発光部から前記照明装置の外部に放出される光の明るさよりも小さく、前記長手方向を水平方向とした場合において、前記第二発光部の光軸は、前記第一発光部の光軸よりも下方に傾いている。
【００１２】
本発明の一態様に係る照明鏡セットは、照明装置と、前記照明装置の下方に配置された鏡とを備える。
【発明の効果】
【００１３】
本発明によれば、光を照射する対象物における影の発生を抑制し、かつ、設置の自由度が高い照明装置、及びその照明装置を備える照明鏡セットを提供することができる。
【図面の簡単な説明】
【００１４】
【図１】実施の形態に係る照明鏡セットの構成概要を示す斜視図である。
【図２】実施の形態に係る照明装置の構成概要を示す分解斜視図である。
【図３】実施の形態に係る照明装置の中央部分及び両端部分のそれぞれが発する光の光軸を示す模式図である。
【図４】検証実験において得られた照度比を説明するための図である。
【図５】検証実験の結果の数値等を表形式で示す図である。
【図６】実施例及び比較例１それぞれにおけるマネキンの顔の画像を示す図である。
【図７】実施の形態の変形例１に係る照明装置の構成概要を示す分解斜視図である。
【図８】実施の形態の変形例２に係るカバー部材の構成概要を示す斜視図である。
【図９】実施の形態の変形例３に係るカバー部材の一部の構成概要を示す断面図である。
【図１０】照明鏡セットの別の一例としての洗面化粧台の構成概要を示す正面図である。
【発明を実施するための形態】
【００１５】
以下では、本発明の実施の形態に係る発光装置について、図面を用いて説明する。なお、以下に説明する実施の形態及びその変形例は、いずれも本発明の一具体例を示すものである。従って、以下の実施の形態及び変形例で示される数値、形状、材料、構成要素、構成要素の配置及び接続形態等は、一例であり、本発明を限定する趣旨ではない。よって、以下の実施の形態及び変形例における構成要素のうち、本発明の最上位概念を示す独立請求項に記載されていない構成要素については、任意の構成要素として説明される。
【００１６】
また、各図は、模式図であり、必ずしも厳密に図示されたものではない。また、各図において、同じ構成部材については同じ符号を付し、その説明が省略される場合がある。
【００１７】
（実施の形態）
［照明鏡セットの構成概要］
まず、図１を用いて、実施の形態に係る照明鏡セット１０の構成概要を説明する。図１は、実施の形態に係る照明鏡セット１０の構成概要を示す斜視図である。
【００１８】
図１に示すように、照明鏡セット１０は、照明装置１００と、照明装置１００の下方に配置された鏡２００とを備える。本実施の形態では、鏡２００は、例えば洗面所の壁面３００に固定されており、照明装置１００は、壁面３００の、鏡２００と天井面３１０との間の位置に取り付けられている。
【００１９】
なお、鏡２００の下方に、例えば洗面台（図示せず）が配置されることで、照明装置１００、鏡２００及び洗面台により、照明付きの洗面化粧台が構成されてもよい。言い換えると、照明鏡セット１０は、洗面台を備えてもよい。
【００２０】
本実施の形態において、鏡２００の前方で、例えば人（以下、使用者という）が化粧を行う場合、照明装置１００からの光によって使用者の顔が適切に照らされ、これにより、使用者は、鏡２００に映る影の少ない顔を見ながら化粧を行うことができる。
【００２１】
［照明装置の構成］
次に、図２〜図６を用いて、実施の形態に係る照明装置１００の構成及び効果等を説明する。
【００２２】
図２は、実施の形態に係る照明装置１００の構成概要を示す分解斜視図である。図２に示すように、本実施の形態に係る照明装置１００は、長尺状の発光装置１０５を備える。発光装置１０５は、第一発光部１１０と、発光装置１０５の長手方向（Ｘ軸方向）における第一発光部１１０の両側のそれぞれに配置された第二発光部１２０とを有する。なお、以下で、「長手方向」という場合、特に説明のない限り、発光装置１０５の長手方向、つまり、本実施の形態におけるＸ軸方向のことを意味する。また、本実施の形態では、発光装置１０５の長手方向と、照明装置１００、第一発光部１１０、及び、第二発光部１２０それぞれの長手方向は一致（略一致も含む、以下同じ。）する。
【００２３】
本実施の形態に係る照明装置１００は、具体的には、長尺状の基台１０１を備え、１つの第一発光部１１０及び２つの第二発光部１２０は、基台１０１上に並べられて固定されている。
【００２４】
基台１０１は、例えばアルミニウムまたはアルミニウム合金等の金属製の部材であり、壁面３００に取り付けるための取付部１０２を有している。本実施の形態では、取付部１０２は貫通孔を有しており、貫通孔に挿入されたネジが壁面３００に設けられたネジ孔と螺合する。このような取付部１０２が、基台１０１に複数設けられていることで、照明装置１００は、複数のネジによって壁面３００に固定される。なお、取付部１０２を用いて行われる、照明装置１００の壁面３００に対する取り付けの手法はねじ止めに限定されない。例えば、取付部１０２は、壁面３００に固定されたフックまたはレール等と係合する構造物であってもよい。
【００２５】
第一発光部１１０及び第二発光部１２０のそれぞれは、長手方向に並べられた複数の発光素子２０を有する。具体的には、第一発光部１１０は、複数の発光素子２０が配置された第一基板１１１を有し、第二発光部１２０は、複数の発光素子２０が配置された第二基板１２１を有する。
【００２６】
第一基板１１１及び第二基板１２１は、ともに、金属配線がパターン形成された、いわゆるプリント基板である。第一基板１１１及び第二基板１２１として採用されるプリント基板の種類としては、セラミック基板、樹脂基板、及びメタルベース基板などが例示される。
【００２７】
複数の発光素子２０のそれぞれは、例えば、パッケージ化された表面実装（ＳＭＤ：Ｓｕｒｆａｃｅ  Ｍｏｕｎｔ  Ｄｅｖｉｃｅ）型のＬＥＤ（Ｌｉｇｈｔ  Ｅｍｉｔｔｉｎｇ  Ｄｉｏｄｅ）素子である。複数の発光素子２０の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、例えば、青色ＬＥＤチップからの青色光を励起光として蛍光発光するＹＡＧ（イットリウム・アルミニウム・ガーネット）等の黄色蛍光体が、波長変換材として含有されている。
【００２８】
複数の発光素子２０の各々において、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして各発光素子２０から白色光が出射される。
【００２９】
また、本実施の形態では、照明装置１００には、発光装置１０５を覆うように配置されたカバー部材１５０を備えている。カバー部材１５０は、例えば乳白色の樹脂材料で形成された部材であり、発光装置１０５から出射された光を拡散して放出する。これにより、照明装置１００の外観上、複数の発光素子２０のそれぞれが発する光の粒が目立ちにくくなる。
【００３０】
なお、カバー部材１５０が光の拡散機能を有することは必須ではなく、例えば、透明な樹脂によりカバー部材１５０が形成されてもよい。また、カバー部材１５０の素材は樹脂には限定されず、例えばガラスがカバー部材１５０の素材として採用されてもよい。
【００３１】
このように構成された照明装置１００において、第一発光部１１０から照明装置１００の外部に放出される光の明るさは、第二発光部１２０から照明装置１００の外部に放出される光の明るさよりも小さい。
【００３２】
本実施の形態では、第一発光部１１０及び第二発光部１２０それぞれにおける、発光素子２０の密度が異なっている。具体的には、第二発光部１２０における、長手方向における単位長さあたりの発光素子２０の個数は、第一発光部１１０おける、当該単位長さあたりの発光素子２０の個数よりも多い。これにより、第二発光部１２０が発する光の輝度（カンデラ／平方メートル）は、第一発光部１１０が発する光の輝度よりも大きい。
【００３３】
具体的には、第一発光部１１０の第一基板１１１の長さ（長手方向の幅）は、例えば、３０ｃｍであり、第二発光部１２０の第二基板１２１の長さは、例えば、１５ｃｍである。また、第一発光部１１０及び第二発光部１２０が有する発光素子２０の数はともに１２である。つまり、第二発光部１２０の方が、第一発光部１１０よりも、発光素子２０の密度が高い。これにより、第一発光部１１０は発する光の輝度と、第二発光部１２０が発する光の輝度との比は、およそ１：２である。
【００３４】
このように、長手方向において照明装置１００両端部分（２つの第二発光部１２０に対応する部分）が発する光は、中央部分（第一発光部１１０に対応する部分）が発する光よりも明るい。
【００３５】
さらに、図２に示すように、第二発光部１２０の光軸Ｌｂは、第一発光部１１０の光軸Ｌａよりも下方に傾いている。本実施の形態では、第二発光部１２０は、第二基板１２１の、複数の発光素子２０が配置された面（第二配置面）が、第一発光部１１０の第一基板１１１の、複数の発光素子２０が配置された面（第一配置面）が、よりも下方を向く姿勢で配置されている。つまり、第一発光部１１０及び第二発光部１２０はともに、下を向く姿勢で基台１０１に保持されており、かつ、第二発光部１２０の方がより下を向くように傾けられて保持されている。これら光軸Ｌａ、Ｌｂと、鏡２００の前に立つ使用者の顔の位置との関係を図３を用いて説明する。
【００３６】
図３は、実施の形態に係る照明装置１００の中央部分及び両端部分のそれぞれから放出される光の光軸を示す模式図である。
【００３７】
図３に示すように、水平な基準線Ｈと第一発光部１１０の光軸Ｌａとのなす角をθ１とし、基準線Ｈと第二発光部１２０の光軸Ｌｂとのなす角をθ２とし、かつ、図３において反時計回りを正とした場合、θ１＜θ２である。なお、光軸Ｌａと、第一発光部１１０の第一基板１１１の法線とは平行であり、光軸Ｌｂと、第二発光部１２０の第二基板１２１の法線とは平行である。つまり、第一基板１１１の鉛直面からの傾きはθ１であり、第二基板１２１の鉛直面からの傾きはθ２であり、かつ、θ１＜θ２である、と表現することもできる。また、図３に示す楕円の点線Ｃａは、第一発光部１１０の配光分布を簡易的に表しており、楕円の点線Ｃｂは、第二発光部１２０の配光分布を簡易的に表している。つまり、第二発光部１２０の配光は、第一発光部１１０の配光よりも下方に偏っている、ということもできる。
【００３８】
具体的には、鏡２００の正面中央（鏡２００のＸ軸方向の中央）に、鏡２００を見ながら化粧をしようとする使用者（例えば身長１５８ｃｍ程度）が立った場合において、照明装置１００の中央部分（第一発光部１１０）からの光の光軸Ｌａは、使用者の上方を通過する。この状態を実現するために、θ１は例えば１５°に設定される。
【００３９】
これにより、使用者の顔に対して正面から照射される光のうちの、上から下に向かう光の量が比較的に少なくなる。また、使用者の眼に照射される光の量も比較的に少なくなる。その結果、使用者の顔に濃い影（影とその周囲とのコントラストが大きい箇所）が生じることが抑制され、また、使用者に眩しさを感じさせる可能性も低減される。しかしながら、第一発光部１１０から放出される光のみでは、全体的な光量の不足の問題、つまり、鏡２００に映る使用者の顔の明瞭性の不足の問題が生じ得る。
【００４０】
しかしながら、本実施の形態に係る照明装置１００では、照明装置１００の両端部分（２つの第二発光部１２０）からの光の光軸Ｌｂは、横から（Ｘ軸方向から）見た場合に、使用者の顔の中央部分を通過する。この状態を実現するために、θ１は例えば４５°に設定される。
【００４１】
これにより、使用者の顔の上下方向の略中央の領域には、右上及び左上のそれぞれの第二発光部１２０から放出される光が効率よく照射される。その結果、顔を明るく照らすための十分な光量を得ることができ、かつ、顔の突出した部分（鼻及び頬骨等）による影の発生が抑制される。また、２つの第二発光部１２０のそれぞれは、使用者が鏡２００を見た場合の右上および左上に位置するため、使用者に眩しさを感じさせる可能性は少ないと言える。
【００４２】
［検証実験］
本願発明者らは、１０数人の被験者を用いて、照明装置１００が奏する上記効果について検証するための実験を行った。この検証実験について図４〜６を用いて説明する。
【００４３】
図４は、検証実験において得られた照度比を説明するための図である。図５は、検証実験の結果の数値等を表形式で示す図である。図６は、実施例及び比較例１それぞれにおけるマネキンの顔の画像を示す図である。
【００４４】
なお、図５において、「中央」は、第一発光部１１０に対応し、「両端」は、第二発光部１２０に対応する。例えば、「基板の傾き」のうちの「中央」は、第一発光部１１０の第一基板１１１の法線（つまり、第一発光部１１０の光軸）と水平線とのなす角であり、図３に示すθ１に対応する。また、「基板の傾き」のうちの「両端」は、第二発光部１２０の第二基板１２１の法線（つまり、第二発光部１２０の光軸）と水平線とのなす角であり、図３に示すθ２に対応する。
【００４５】
さらに、実施例では、図１〜３を用いて説明された本実施の形態に係る照明装置１００が用いられている。そのため、図５に示すように、実施例における「基板の傾き」の「中央」は、“１５°”であり、「基板の傾き」の「両端」は、“４５°”である。
【００４６】
本実験では、照明装置１００の、第一発光部１１０及び第二発光部１２０の傾きおよび明るさを変えた３パターン（実施例、比較例１、比較例２）それぞれについて、照度比を求めた。
【００４７】
照度比は、照明装置１００の前方かつ下方の所定の位置における、上下左右それぞれからの光の照度の平均値に対する、上からの光の照度の比率である。
【００４８】
具体的には、上記所定の位置は、図４に示す測定位置Ｐである。測定位置Ｐは、Ｙ軸方向における照明装置１００からの距離Ｄが３０ｃｍであり、Ｚ軸方向における床面３２０からの距離Ｔが１５０ｃｍである。また、測定位置ＰのＸ軸方向の位置は、照明装置１００の長手方向（Ｘ軸方向）の中心に一致する。
【００４９】
なお、照明装置１００の床面３２０からの距離Ｓは１９０ｃｍである。また、上記の測定位置Ｐの位置の基準となる、照明装置１００の位置は、より詳細には、発光装置１０５（図２参照）の中心位置である。また、図４では図示が省略されているが、壁面３００における測定位置Ｐの正面位置に鏡２００が設置された環境で、本実験が行われている。
【００５０】
このように規定される測定位置Ｐにおいて、照度計の測定面の向きを変えながら、上下左右それぞれからの光の照度を測定する。具体的には、Ｘ軸プラス側に測定面を向けたときの照度（Ｉ（＋Ｘ））、Ｘ軸マイナス側に測定面を向けたときの照度（Ｉ（−Ｘ））、Ｚ軸のプラス側に測定面を向けたときの照度（Ｉ（＋Ｚ））、及び、Ｚ軸のマイナス側に測定面を向けたときの照度（Ｉ（−Ｚ））のそれぞれが測定される。
【００５１】
このように測定された各値を用いて、以下の（式１）によって照度比Ｉｒが求められる。なお、下記の（式１）において“Ｉａ”は、４つの照度（Ｉ（＋Ｘ）、Ｉ（−Ｘ）、Ｉ（＋Ｚ）、及びＩ（−Ｚ））の平均値である。
【００５２】
Ｉｒ＝Ｉ（＋Ｚ）／Ｉａ                                  （式１）
【００５３】
つまり、照度比Ｉｒは、測定位置Ｐにおける上下左右それぞれからの光の照度の平均値に対する、上からの光の照度の比率である。すなわち、照度比Ｉｒが低くなるに従って、測定位置Ｐでの明るさにおける、上からの光の寄与度が低くなる、つまり、他の方向からの光（下及び左右からの光）の寄与度が高くなる、ということができる。
【００５４】
比較例２では、第一発光部１１０及び第二発光部１２０の輝度を略同一にし、かつ、第一発光部１１０及び第二発光部１２０の基板の傾きを“０°”とした照明装置が用いられた。つまり、長手方向の全域において明るさが略均一であり、かつ、第一発光部１１０の光軸及び第二発光部１２０の光軸が前方を向いている（Ｙ軸に平行）場合における、各照度が計測され、その結果、照度比Ｉｒとして“２．３３”が算出された。
【００５５】
すなわち、簡単にいうと、長手方向において明るさが略均一な光源を、単に正面向きに配置した場合の照度比Ｉｒとして、“２．３３”が得られた。
【００５６】
比較例１では、第一発光部１１０及び第二発光部１２０の輝度を略同一にし、かつ、第一発光部１１０及び第二発光部１２０の基板の傾きを“４５°”とした照明装置が用いられた。つまり、長手方向の全域において明るさが略均一であり、かつ、第一発光部１１０の光軸及び第二発光部１２０の光軸が、使用者の顔の上下方向の略中央に向いている（図３のＬｂ参照）場合における、各照度が計測され、その結果、照度比Ｉｒとして“２．１９”が算出された。
【００５７】
すなわち、簡単にいうと、長手方向において明るさが略均一な光源を、斜め上方から使用者の顔に光を照射する姿勢で配置した場合の照度比Ｉｒとして、“２．１９”が得られた。
【００５８】
実施例では、上述のように、本実施の形態に係る照明装置１００が用いられた。つまり、第一発光部１１０の輝度と、第二発光部１２０の輝度との比は、１：２である。また、第一発光部１１０の第一基板１１１の傾きは“１５°”であり、第二発光部１２０の第二基板１２１の傾きは“４５°”である。
【００５９】
この場合における各照度が計測され、その結果、照度比Ｉｒとして“２．０８”が算出された。
【００６０】
上記結果から、比較例２における照度比“２．３３”を基準とした場合における、比較例１の照度比の割合、及び、実施例の照度比の割合が求められた。具体的には、基準の照度比“２．３３”に対する、比較例１における照度比“２．１９”の割合として“９４％”が得られた。さらに、基準の照度比“２．３３”に対する、実施例における照度比“２．０８”の割合として“８９％”が得られた。なお、この場合における実施例における照度比“２．０８”は、第一照度比の一例であり、比較例２における照度比“２．３３”は、第二照度比の一例である。
【００６１】
また、女性の被験者１０数名に、比較例２、比較例１、及び、実施例の３つの照明環境下において、鏡２００の前で実際に化粧をしてもらい、比較例２を基準として、比較例１及び実施例のそれぞれについて評価してもらった。具体的には、比較例２に対して、比較例１及び実施例のそれぞれの場合に、化粧しやすいか否か（Ｑ１）、及び、影が気にならないか否か（Ｑ２）についての回答を各被験者に求めた。また、Ｑ１への有効回答数に対する「化粧しやすい」との回答の割合、及び、Ｑ２への有効回答数に対する「影が気にならない」との回答の割合（百分率）を算出した。
【００６２】
その結果、図５に示すように、比較例１の場合、「化粧しやすい」との回答が有効回答数の約９割を占めた。これは、照明装置からの光軸が使用者の顔に向くことで、比較例２の場合と比べると、顔が明るく照らされるため、と考えられる。
【００６３】
また、「影が気にならない」と回答した人は、有効回答数の３分の２程度存在する。このことについて検討してみると、使用者からみて、前方斜め上に配置された、左右方向に長尺状の照明装置の光軸が顔に向くことで、左右方向の広い範囲から放出される光が顔に照射される。そのため、比較例２の場合と比べると、比較例１の方が、鼻及び頬骨など突出した部分の下に生じる影が薄くなる。このことは、照度比Ｉｒについて、比較例２の場合（２．３３）より、比較例１の場合（２．１９）の方が小さいという結果とも一致する。
【００６４】
しかしながら、「影が気にならない」と判断しなかった被験者、つまり、影が気になると判断したと推定される被験者が全体の３分の１程度存在することを考えると、鏡２００とともに用いる照明装置としては十分ではない。
【００６５】
一方、実施例の場合、図５に示すように、「化粧しやすい」との回答が有効回答数の１０割を占めた。また、「影が気にならない」と回答した人も、有効回答数の１０割を占めた。
【００６６】
このことについて検討してみると、本実施の形態（実施例）に係る照明装置１００では、使用者の前方斜め上の光源（第一発光部１１０）の光軸は、使用者の上方を通過する（図３参照）。そのため、使用者は、照明装置１００からの光による眩しさを感じにくい。このことは、「化粧しやすい」との回答が有効回答数の１０割を占めた主な要因の一つと考えられる。また、使用者の顔に対して正面から照射される光のうちの、上から下に向かう光の量が比較的に少なくなることで、顔に濃い影が発生する可能性が低減される。このことは、各被験者が「影が気にならない」と判断した一つの要因と考えられる。
【００６７】
また、使用者の右斜め上及び左斜め上の光源（第二発光部１２０）の光軸は、横から（Ｘ軸方向から）見た場合に、使用者の顔の上下方向の中央部分を通過し、かつ、第二発光部１２０の輝度は、第一発光部１１０の輝度の略２倍である。
【００６８】
これにより、比較的に暗く、かつ、光軸が使用者の上方を通過する第一発光部１１０による照明光の光量不足が補われる。また、第二発光部１２０の輝度が第一発光部１１０の輝度よりも高いため、比較例１の場合と比べると、顔の位置での明るさにおける、右斜め上か及び左斜め上から照射される光の寄与度が高い。そのため、比較例１の場合と比べると、実施例の方が、鼻及び頬骨など突出した部分の下に生じる影が薄くなる。このことは、照度比Ｉｒについて、比較例１の場合（２．１９）より、実施例の場合（２．０８）の方が小さいという結果とも一致する。
【００６９】
また、実施例及び比較例１それぞれの環境で、鏡２００に映るマネキンの顔を撮像した結果、図６に示すように、実施例における顔の方が、比較例１における顔よりも影が少ないことが確認された。なお、実施例における顔の画像及び比較例１における顔の画像はともに、同一のマネキンの顔の下方に配置されたカメラによって撮像された画像（鏡像）である。
【００７０】
本願発明者らは、以上の実験の結果に基づき、基準とする照度比（比較例２における“２．３３”）に対する照度比の割合が、９０％未満である場合、化粧に適した、顔に影の生じ難い光環境が形成されていると判断できるとの結論を得た。
【００７１】
すなわち、本実施の形態に係る照明装置１００によれば、光を照射する対象物における影の発生を抑制することができる。そのため、照明装置１００は、例えば上述のように鏡２００の上方に配置されることで、化粧に適した、顔に影の生じ難い光環境を形成することができる。
【００７２】
［効果など］
以上説明したように、本実施の形態に係る照明装置１００は、長尺状の発光装置１０５を備える照明装置１００であって、発光装置１０５は、第一発光部１１０と、発光装置１０５の長手方向における第一発光部１１０の両側のそれぞれに配置された第二発光部１２０とを有する。第一発光部１１０から照明装置１００の外部に放出される光の明るさは、第二発光部１２０から照明装置１００の外部に放出される光の明るさよりも小さい。さらに、当該長手方向を水平方向とした場合において、第二発光部１２０の光軸は、第一発光部１１０の光軸よりも下方に傾いている。言い換えると、第二発光部１２０の配光は、第一発光部１１０の配光よりも下方に偏っている。
【００７３】
この構成によれば、例えば、当該長手方向が水平方向となる姿勢で照明装置１００を配置した場合、その前方かつ下方の対象物に対し、中央部分（第一発光部１１０）からの光の光軸を対象物に向けず、かつ、両端部（第二発光部１２０）からの光の光軸が対象物に近づく方向に傾けられた状態で、対象物を照らすことができる。これにより、対象物に突出部分があった場合に、例えば突出部分の下方の影の発生を抑制しつつ、対象物の全体を適度に明るく照らすことができる。例えば、照明装置１００の前方かつ下方に人の顔が位置する場合において、影が少ない状態で当該顔を照らすことができるため、化粧行為に適した光環境を提供することができる。
【００７４】
また、発光装置１０５は長尺状であるため、照明装置１００の外形として直線状の外形を採用することができる。この場合、照明装置１００の設置の自由度が高くなる。例えば、洗面室等の壁面に設置された鏡２００の左右に照明を設置できるようなスペースがない場合であっても、天井との間の位置に、照明装置１００の長手方向が水平方向となる姿勢で、照明装置１００を後付けすることができる。
【００７５】
また、照明鏡セット１０を、洗面化粧台として実現する場合に、鏡２００の左右に照明のためのスペースを設ける必要がないため、洗面化粧台の左右の幅を比較的に小さく抑えつつ、化粧行為に適した光環境を提供することができる。
【００７６】
また、本実施の形態では、第一発光部１１０及び第二発光部１２０のそれぞれは、長手方向に並べられた複数の発光素子２０を有し、第二発光部１２０における、長手方向の単位長さあたりの発光素子２０の個数は、第一発光部１１０における、当該単位長さあたりの発光素子２０の個数よりも多い。
【００７７】
このように、本実施の形態では、第二発光部１２０における発光素子２０の密度を、第一発光部１１０における発光素子２０の密度よりも大きくすることで、照明装置１００の長手方向における両端部分を中央部分よりも明るくしている。この場合、例えば、第一発光部１１０及び第二発光部１２０のそれぞれに、発光素子２０として同一種類のＬＥＤ素子を採用した場合であっても、照明装置１００から放出される光の強弱を長手方向において変えることができる。
【００７８】
また、本実施の形態において、第一発光部１１０は、複数の発光素子２０が配置された第一基板１１１を有し、第二発光部１２０は、複数の発光素子２０が配置された第二基板を有する。さらに、長手方向を水平方向とした場合において、第二基板１２１は、複数の発光素子２０が配置された面が、第一基板１１１における複数の発光素子２０が配置された面よりも下方に向く姿勢で配置されている。
【００７９】
このように、本実施の形態では、第一発光部１１０及び第二発光部１２０は、互いに別体の基板を有し、各々の基板の傾きが異なることで、第二発光部１２０の光軸が、第一発光部１１０の光軸よりも下方に傾けられている。この場合、例えば、第一発光部１１０及び第二発光部１２０それぞれの光軸の向きの調整が容易である。例えば、第一基板１１１の法線と第一発光部１１０からの光の光軸とが一致する場合、第一基板１１１の鉛直面に対する傾き角度が、第一発光部１１０の光軸の水平面に対する傾き角度に一致する。そのため、例えば、第一発光部１１０の光軸の傾き角の調整が容易である。このことは、第二発光部１２０についても同じである。
【００８０】
また、本実施の形態において、照明装置１００を、長手方向が水平方向と一致する姿勢で配置した場合における、第一照度比の第二照度比に対する割合は、９０％未満である。ここで、第一照度比は、照明装置１００の前方かつ下方の所定の位置における、上下左右それぞれからの光の照度の平均値に対する、上からの光の照度の比率である。また、第二照度比は、照明装置１００の外部に放出される光の明るさが、長手方向の全域において略均一であり、かつ、第一発光部１１０の光軸及び第二発光部１２０の光軸が前方を向いているとした場合における、所定の位置における、上下左右それぞれからの光の照度の平均値に対する、上からの光の照度の比率である。
【００８１】
つまり、本実施の形態に係る照明装置１００によれば、長手方向において明るさが略均一な光源を単に正面向きに配置した場合と比較すると、照度比Ｉｒ（上記の（式１）参照）を下げることができる。この場合、所定の位置（本実施の形態では測定位置Ｐ）での明るさにおける、上からの光の寄与度が低くなっている。言い換えると、所定の位置での明るさにおける、他の方向からの光（下及び左右からの光）の寄与度が高くなっている。その結果、凹凸がある顔面等の対象物を、影が少ない状態で適度に明るく照らすことができる。
【００８２】
また、本実施の形態に係る照明装置１００はさらに、所定の壁面に照明装置１００を取り付けるための取付部１０２を備える。
【００８３】
この構成によれば、例えば、洗面所またはパウダールーム等の壁面に固定された鏡の上部に、照明装置１００を後付けするための作業が容易化される。
【００８４】
以上、実施の形態に係る照明装置１００ついて説明したが、照明装置１００は、図１〜図３に示す構成とは異なる構成を備えてもよい。そこで、以下に、実施の形態に係る照明装置１００に関する変形例を、上記実施の形態との差分を中心に説明する。
【００８５】
（変形例１）
図７は、実施の形態の変形例１に係る照明装置１００ａの構成概要を示す分解斜視図である。
【００８６】
図７に示す照明装置１００ａは、長尺状の発光装置１０５ａを備える。照明装置１００ａでは、上記実施の形態に係る照明装置１００とは異なり、発光装置１０５ａが有する第一発光部１１０及び第二発光部１２０はともに、光軸が正面（Ｙ軸プラス側）に向く姿勢で基台１０１に配置されている。
【００８７】
照明装置１００ａはさらに、第一発光部１１０及び第二発光部１２０光軸の向きを制御する光学部材１６０を備えている。照明装置１００ａでは、光学部材１６０により、第二発光部１２０の光軸Ｌｂが、第一発光部１１０の光軸Ｌａよりも下方に傾けられている。
【００８８】
具体的には、光学部材１６０は、入射した光の光軸を所定の方向に向けて出力するレンズまたはプリズムである。なお、図７では、光学部材１６０は、形状が簡略化されて図示されている。
【００８９】
例えば、レンズまたはプリズムである光学部材１６０は、第一発光部１１０に対応する第一部分１６１と、第二発光部１２０に対応する第二部分１６２とを有する。また、例えば、第一部分１６１の、長手方向に直交する断面形状と、第二部分１６２の、長手方向に直交する断面形状とが異なる。これにより、第一部分１６１に入射した光と、第二部分１６２に入射した光の向きが同一である場合であっても、第一部分１６１から出射する光の向きと、第二部分１６２から光の向きとを異ならせることができる。
【００９０】
なお、第一部分１６１と第二部分１６２とは、単一の部材である必要はなく、互いに別体の第一部分１６１と第二部分１６２とで、光学部材１６０が構成されていてもよい。
【００９１】
また、光軸の向きを変更する光学部材１６０は、レンズまたはプリズムである必要はなく、例えば、１以上のミラーによって入射した光の光軸を変更するように構成されていてもよい。
【００９２】
また、光学部材１６０が、光の拡散性を有するレンズによって実現されてもよい。この場合、例えば、光学部材１６０であるレンズにおける、第一部分１６１の光の拡散性が、第二部分１６２の光の拡散性よりも高くてもよい。
【００９３】
これにより、例えば、照明装置１００の長手方向における中央部分から放出される光が拡散しその結果、使用者の顔に届く光量が低下する。そのため、例えば、第一発光部１１０の発光素子２０の配置位置または個数等を変更することなく、照度比Ｉｒをさらに低減することができる。これにより、例えば、使用者の顔に生じる影の量をより抑制することも可能である。
【００９４】
また、例えば、図７に示すカバー部材１５０が、レンズまたはプリズム等を有することで、上述の光学部材１６０としての機能を有してもよい。つまり、カバー部材１５０が、光軸の傾きの調整機能と光の拡散機能とを有してもよい。
【００９５】
（変形例２）
図８は、実施の形態の変形例２に係るカバー部材１５０ａの構成概要を示す斜視図である。
【００９６】
図８に示すカバー部材１５０ａは、拡散カバーの一例であり、例えば、上記実施の形態に係るカバー部材１５０に換えて照明装置１００に組み込むことができる部材である。
【００９７】
本変形例に係るカバー部材１５０ａは、第一発光部１１０及び第二発光部１２０からの光を拡散して放出する部材である。また、カバー部材１５０ａにおいて、第一発光部１１０に対応する第一部分１５１の光の拡散性は、第二発光部１２０に対応する第二部分１５２の光の拡散性よりも高い。
【００９８】
これにより、例えば、照明装置１００の長手方向における中央部分から放出される光が拡散し、その結果、使用者の顔に届く光量が低下する。そのため、例えば、第一発光部１１０の発光素子２０の配置位置または個数等を変更することなく、照度比Ｉｒをさらに低減することができる。これにより、例えば、使用者の顔に生じる影の量をより抑制することも可能である。
【００９９】
また、例えば、第一部分１５１の光の拡散性の高さが互いに異なる複数種類のカバー部材１５０ａを用意することで、カバー部材１５０を除く部分が共通であり、かつ、光の配光特性が互いに異なる複数種類の照明装置１００を作製することも可能である。
【０１００】
なお、第一部分１５１と第二部分１５２とは、単一の部材である必要はなく、互いに別体の第一部分１５１と第二部分１５２とで、カバー部材１５０ａが構成されていてもよい。
【０１０１】
（変形例３）
図９は、実施の形態の変形例３に係るカバー部材１５０ａの一部の構成概要を示す断面図である。具体的には、図９では、カバー部材１５０ａ（図８参照）における第一部分１５１の断面が図示されている。
【０１０２】
例えば図９に示すよう、第一部分１５１における上下の少なくとも一方に、他の部分よりも光の透過率が高い部分が設けられてもよい。
【０１０３】
図９に示す第一部分１５１では、光の透過率が高い部分（高透過部１５１ｂ）が、上下両方に設けられており、上下の高透過部１５１ｂの間に、他の部分（低透過部１５１ａ）が設けられている。
【０１０４】
この構成によれば、例えば、第一発光部１１０から出射された光のうちの、上方及び下方に漏れる光の量が増加する。これにより、照明装置１００の長手方向の中央部分から出射されて使用者の顔に到達する光の量が低減される。その結果、照度比Ｉｒをさらに低減することができる。このことは、上述のように、使用者の顔に生じる影の量をより抑制するという観点から有利である。
【０１０５】
（他の実施の形態）
以上、本発明に係る照明装置について、上記実施の形態及び変形例に基づいて説明したが、本発明は、上記の実施の形態及び変形例に限定されるものではない。
【０１０６】
例えば、上記実施の形態では、照明鏡セット１０は、壁面３００に固定された照明装置１００及び鏡２００を備えるとしたが、照明鏡セット１０は、上述のように、洗面化粧台として実現されてもよい。この場合、照明装置１００は、鏡が固定されたフレームに取り付けられてもよい。
【０１０７】
図１０は、照明鏡セットの別の一例としての洗面化粧台１８０の構成概要を示す正面図である。
【０１０８】
図１０に示す洗面化粧台１８０は、鏡２１０が設けられたフレーム１８１と、洗面台１８２とを備える。また、フレーム１８１における鏡２１０の上部には、照明装置１００が配置されている。この場合であっても、例えば、上述のように化粧行為に適した光環境を提供することができる。
【０１０９】
また、洗面台を有さずに、かつ、鏡２００と照明装置１００とが一体化された製品として、照明鏡セットが作製されてもよい。この場合、例えば洗面所の壁面に、鏡２００と照明装置１００とを別々に取り付ける必要はない。また、例えば、照明鏡セットの設置の際に、鏡２００に対する照明装置１００の位置決めを行う必要もない。
【０１１０】
また、例えば上記実施の形態に係る照明装置１００は、化粧行為に適した光環境を提供する照明装置としてではなく、他の用途向けの照明装置として用いられてもよい。
【０１１１】
例えば、撮像装置の上方に配置され、撮像装置によって撮像される対象物を照らす照明装置として、照明装置１００が採用されてもよい。この場合であっても、照明装置１００は、例えば対象物である人物の顔を、影が少ない状態にし、かつ、適度に明るく照らすことができる。そのため、撮像装置によって、当該人物の顔を明瞭に撮像することができる。
【０１１２】
また、上記実施の形態において、第一発光部１１０の光軸Ｌａと基準線Ｈとのなす角θ１が１５°であり、第二発光部１２０の光軸Ｌｂと基準線Ｈとのなす角θ２が４５°であるとした（図３参照）。しかし、θ１及びθ２の値はこれに限定されない。例えば、照明鏡セット１０を使用すると想定される人の身長、及び、立ち位置等の推定値に応じて、θ１及びθ２が適宜決定されてもよい。いずれの場合であっても、θ１＜θ２であることで、照明装置１００が、使用者の顔に対して、左右斜め上から比較的に大きな光量の光をあてることができる。つまり、照明装置１００は、放出する光を効率よく用いて使用者の顔における影の発生を抑制しつつ、例えば化粧を行うための十分な明るさを提供することができる。
【０１１３】
また、上記実施の形態において、第一発光部１１０及び第二発光部１２０が有する複数の発光素子２０のそれぞれは、ＳＭＤ型のＬＥＤ素子であるとした。しかし、複数の発光素子２０のそれぞれは、例えば青色ＬＥＤチップであってもよい。この場合、黄色蛍光体を含有する透明樹脂によって複数の発光素子２０を封止することで、第一発光部１１０及び第二発光部１２０のそれぞれから白色光を放出することができる。つまり、第一発光部１１０及び第二発光部１２０は、ＬＥＤチップを基板に直接実装したＣＯＢ（Ｃｈｉｐ  Ｏｎ  Ｂｏａｒｄ）構造であってもよい。
【０１１４】
また、例えば、第一発光部１１０及び第二発光部１２０の少なくとも一方が有する発光素子２０の一部が、赤色光を放出する赤色ＬＥＤチップであってもよい。これにより、例えば、照明装置１００から放出する光における演色性が向上される。また、例えば、赤色光を放出する発光素子２０への供給電力と、白色光を放出する発光素子２０への供給電力とを制御することで、照明装置１００から放出する光の調色制御が行われてもよい。
【０１１５】
また、上記実施の形態において、発光装置１０５は、３枚の基板（１枚の第一基板１１１、及び２枚の第二基板１２１）を有し、各基板に複数の発光素子２０が配置された構造を有している。しかし、発光装置１０５が有する基板の枚数は１であってもよい。つまり、１つの第一発光部１１０及び２つの第二発光部１２０が、１枚の基板上に構成されてもよい。
【０１１６】
例えば、実施の形態の変形例１に係る照明装置１００ａ（図７参照）の場合、第一発光部１１０及び第二発光部１２０はともに、光軸が正面に向く姿勢である。そのため、１枚の基板の厚み方向の一方の面に、第一発光部１１０及び第二発光部１２０が備えるべき数の発光素子２０を配置することで、発光装置１０５ａを構成することができる。
【０１１７】
また、カバー部材１５０の外形は、半円筒状（例えば図２参照）である必要はなく、例えば、カバー部材１５０の外形は直方体であってもよい。
【０１１８】
また、発光素子２０としてＬＥＤを例示したが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子が、発光素子２０として採用されてもよい。
【０１１９】
その他、上記実施の形態または変形例に対して当業者が思い付く各種変形を施して得られる形態、及び、本発明の趣旨を逸脱しない範囲で上記実施の形態または変形例における構成要素及び機能を任意に組み合わせることで実現される形態も本発明に含まれる。
【符号の説明】
【０１２０】
１０  照明鏡セット
２０  発光素子
１００、１００ａ  照明装置
１０２  取付部
１０５、１０５ａ  発光装置
１１０  第一発光部
１１１  第一基板
１２０  第二発光部
１２１  第二基板
１５０、１５０ａ  カバー部材（拡散カバー）
１５１、１６１  第一部分
１５１ｂ  高透過部
１５２、１６２  第二部分
１６０  光学部材
１８０  洗面化粧台（照明鏡セット）
２００、２１０  鏡
３００  壁面（所定の壁面）
【図１】
2018032473.tif 000003
【図２】
2018032473.tif 000004
【図３】
2018032473.tif 000005
【図４】
2018032473.tif 000006
【図５】
2018032473.tif 000007
【図６】
2018032473.tif 000008
【図７】
2018032473.tif 000009
【図８】
2018032473.tif 000010
【図９】
2018032473.tif 000011
【図１０】
2018032473.tif 000012